(57)【特許請求の範囲】
【請求項１】
複数のシールドコネクタ部と、該シールドコネクタ部の各々に対して互いに独立して被冠される複数のシールドシェルと、前記シールドコネクタ部の各々に配置されるコンタクトとを備えたシールドコネクタ組立体において、
前記シールドコネクタ部は、所定の間隔で一体に配設された絶縁ハウジングを備え、
前記絶縁ハウジングは、隣接する前記シールドシェル間に位置すると共に該シールドシェルの嵌合方向に沿って該シールドシェルのほぼ全長にわたって延びて両側の該シールドシェルを支持する壁部を一体に有してなることを特徴とするシールドコネクタ組立体。
【請求項２】
前記各シールドシェルは、前記シールドコネクタ組立体が取り付けられる基板に固定される固定脚を有し、
該固定脚の１つは、前記シールドシェルの底壁を両側から折り曲げて向き合わせて構成される２つの板部を有し、該２つの板部のうち一方の板部の側縁から延出した帯片が、他方の板部に巻き付いて一体的に構成されていることを特徴とする請求項１記載のシールドコネクタ組立体。
【発明の詳細な説明】
【０００１】
【発明の属する技術分野】
本発明は電気コネクタ組立体に関し、特に、電磁遮蔽用のシールドシェルを有するシールドコネクタ組立体に関するものである。
【０００２】
【従来の技術】
従来、例えばコンピュータ等の電気コネクタの信号経路を外部の電磁波による影響から保護するために、あるいは、逆に電磁波による悪影響を周囲に及ぼさないようにするために、コネクタ部をシールド即ち電磁遮蔽をすることが一般的に行われている。この種のコネクタとして、金属製のシールドシェルを有する種々のタイプが知られている。このシールドシェルは、電気コンタクトを有する絶縁ハウジングの外周を覆うように取り付けられているのが一般的である。
【０００３】
このような、シールドシェルを有するシールドコネクタ組立体の一例として、台湾国実用新案公告第３８９３８７号および同第３８３９５６号の各公報に開示されたものが知られている。前者のシールドコネクタ組立体は、２個のコネクタ部と、この２個のコネクタ部の全体を囲む第１シェルと、コネクタ部間に配置される第２シェルとを有している。また、後者のシールドコネクタ組立体は、シールドシェルにより覆われて独立した２個のシールドコネクタを有する。この２個の独立したシールドコネクタは、別のハウジングにより連結されて一体のシールドコネクタ組立体として構成されている。
【０００４】
【発明が解決しようとする課題】
前者の従来技術においては、ハウジングは１個であるものの、このハウジングに被冠される第１シェルは、ハウジングにラッチ係合により取り付けられているだけであるので、所謂、こじりに対し弱い。即ち相手方のコネクタとの嵌合の際、あるいは嵌合状態で相手方のコネクタによりこじられると第１シェルが変形しやすい。その結果、こじりによる過大な力がハウジングに加わってハウジングまたはシェルが破損する虞がある。また、後者の従来技術においては、耐こじり性は高いが、ハウジングが３個となり部品点数が増大するという問題がある。
【０００５】
本発明は、以上の点に鑑みてなされたものであり、部品点数が少なく、耐こじり性の高いシールドコネクタ組立体を提供することを目的とするものである。
【０００６】
【課題を解決するための手段】
本発明のシールドコネクタ組立体は、複数のシールドコネクタ部と、このシールドコネクタ部を覆うシールドシェルと、シールドコネクタ部に配置されるコンタクトとを備えたシールドコネクタ組立体において、シールドコネクタ部が所定の間隔で一体に配設された絶縁ハウジングを備え、シールドシェルが、シールドコネクタ部に互いに独立して被冠され、絶縁ハウジングが、隣接するシールドシェル間に位置して両側のシールドシェルを支持する壁部を一体に有してなることを特徴とするものである。
【０００７】
また、シールドシェルは、シールドコネクタ組立体が取り付けられる基板に固定される固定脚を有していることが好ましい。
【０００８】
【発明の効果】
本発明のシールドコネクタ組立体は、シールドコネクタ部が所定の間隔で一体に配設された絶縁ハウジングを備えており、シールドシェルが、シールドコネクタ部に互いに独立して被冠され、また、絶縁ハウジングが、隣接するシールドシェル間に位置して両側のシールドシェルを支持する壁部を一体に有しているので、次の効果を奏する。
【０００９】
即ち、シールドコネクタ組立体は、１個の絶縁ハウジングおよび各シールドコネクタ部に対応したシールドシェルのみから構成されるので部品点数が少なく、また、壁部によりシールドシェルが支持されるので、相手方のコネクタによりこじられても、シールドシェルが移動することがなく、耐こじり性の高いシールドコネクタ組立体とすることができる。
【００１０】
また、シールドシェルが、シールドコネクタ組立体が取り付けられる基板に固定される固定脚を有している場合は、シールドコネクタ組立体の基板への取付強度を大きくすることができる。
【００１１】
【発明の実施の形態】
以下、本発明のシールドコネクタ組立体（以下、単に組立体という）の好ましい実施の形態について、添付図面を参照して詳細に説明する。図１から図４は、本発明の組立体に使用される絶縁ハウジング（以下、単にハウジングという）を示し、図１は斜視図、図２は正面図、図３は平面図、図４は図２の４−４線に沿う断面図を示す。以下、図１から図４を参照して説明する。
【００１２】
ハウジング２は、樹脂製の一体に構成された単一の部材であり、略矩形の基部４と、この基部４から矢印７（図１）で示す前方即ち図示しない相手側のコネクタの方に所定間隔で延出する３つの嵌合リブ６とを有する。嵌合リブ６は、ハウジング２の長手方向と直交するように上下方向に延びている。この嵌合リブ６には、嵌合方向に延びる、上下方向に沿って所定の間隔で配設された複数のコンタクト収容溝８が形成されている。そしてこの嵌合リブ６と夫々に対応する、基部４の部分に、後述するシールドシェル２２（図５〜図９）が夫々取り付けられて、３つのシールドコネクタ部１０が構成される。但し、図１から図４においては、コンタクト５２（図１３）は省略されている。また、ハウジング２の基部４には、コンタクト収容溝８に連通する開口２０（図１、図２、図４）が形成されている。
【００１３】
そして、各シールドコネクタ部１０の間には、基部４から嵌合リブ６と平行に隔壁（壁部）１２が突設されているが、前述のシールドシェル２２は、この隔壁１２によって支持される。即ち、相手方のコネクタと嵌合したときに、相手方のコネクタのこじりによっても、シールドシェル２２が移動しないように、これらの隔壁１２によって支持される。その態様についての詳細な説明は後述する。
【００１４】
次に、ハウジング２に設けられた、シールドシェル２２（図５〜図９）を取り付けるための構造について説明する。図１および図３に示されるように、基部４の各シールドコネクタ部１０の上面には、シールドシェル２２と接するコ字状のリブ１４が形成されている。このリブ１４の中央部分は基部４の前端に位置しており、この中央部分がシールドシェルの抜止用のストッパ部１４ａとなる。
【００１５】
さらにハウジング２には、図４に最もよく示すように、各シールドコネクタ部１０の両側に、シールドシェル２２が挿通される通路１６が形成されている。この通路１６は、隔壁１２とハウジング２との間に、上下に離隔して即ち嵌合リブ６と平行に、隔壁１２の各側に２カ所形成されている。換言すると、隔壁１２とシールドコネクタ部１０は、上下方向に離隔した３つの連結部１１によって連結されており、これらの連結部１１の間が通路１６となっている。
【００１６】
隔壁１２とハウジング２との間隔、即ち通路１６の幅は、シールドシェル２２の厚さより僅かに大きいだけである。この理由は、通路１６に挿入されたシールドシェル２２が、隔壁１２と、ハウジング２との間で横方向に移動しないようにするためである。基部４には、これらの通路１６に隣接して、後方に向く肩１８ａを有する係合凹部１８が形成されている。これらの係合凹部１８には、シールドシェル２２のラッチ舌片４２、４４（図７）が取り付けられるが、詳細な説明は後述する。なお、ここで、後方とは嵌合方向と反対側の方向をいう。
【００１７】
次に、各シールドコネクタ部１０に取り付けられるシールドシェル２２について図５から図９を参照して説明する。図５はシールドシェル２２の正面図、図６は平面図、図７は左側面図、図８は右側面図、図９は背面図である。シールドシェル２２は１枚の金属板から打抜き折り曲げにより矩形の開口２３が形成された一体の部材であり、この開口２３内にシールドコネクタ部１０が収容されるよう構成されている。シールドシェル２２は、上壁２４、側壁２６、２６および底壁２８から構成されている。各壁２４、２６、２８には外向きのフランジ３０、３２、３４が夫々形成されている。
【００１８】
また、上壁２４および側壁２６には、開口３６内に切り起こされた、後方に向く接地用の舌片３８が形成されている。また、上壁２４、側壁２６の後部側にはハウジング２に係合するラッチ舌片４０および４２、４４が前方に向けて夫々形成されている。底壁２８には、側壁２６、２６から垂下したリテンションレグ（固定脚）４６、取付脚（固定脚）４８および底壁２８を中央部で両側から折り曲げて向き合わせて構成した取付脚５０が設けられている。これらのリテンションレグ４６、取付脚４８、５０は、図示しない基板に取り付けられて半田づけされる。また、取付脚５０は２つの板部のうち、一方の板部の後側の側縁から延出した帯片５０ａが、相手方の板部に側方から巻き付いて両板部が互いに離隔しないように一体的に構成されている。
【００１９】
次に、シールドシェル２２をハウジング２の各シールドコネクタ部１０に装着してシールドコネクタ組立体１を構成した状態を図１０から図１３を参照して説明する。図１０は、シールドコネクタ組立体１の正面図、図１１は平面図、図１２は底面図、図１３は図１０の１３−１３線に沿う、シールドシェル２２の取付状態を示す部分断面図である。シールドシェル２２がシールドコネクタ部１０に装着されると、隣り合うシールドシェル２２のフランジ３２が互いに隣接するように配置され、シールドシェル２２の開口２３内には、コンタクト５２を配設した嵌合リブ６が露出している。そして、フランジ３０、３２、３４は、シールドコネクタ部１０の嵌合面を構成している。
【００２０】
図１１に最もよく示すように、シールドシェル２２の上壁２２のラッチ舌片４０は、ハウジング２のストッパ部材１４ａに当接して、シールドシェル２２がハウジング２の前方に移動するのを阻止している。また、図１３に最もよく示すように、シールドシェル２２の側壁２６が、ハウジング２の通路１６内に進入すると、ラッチ舌片４２が、前述の係合凹部１８の肩１８ａに係合して係止される。ラッチ舌片４４も同様に係止される。
【００２１】
これによりシールドシェル２２が、ハウジング２から前方へ抜け出ることが防止される。また、ラッチ舌片４２、４４が設けられた突片に隣接する凹部４３、４５（図７、図８）が、シールドコネクタ部１０間の連結部１１（図２）に当接することにより、シールドシェル２２がハウジング２から後方へ抜け出ることが防止される。このときシールドシェル２２の側面２６は、図１３に示すように、隔壁１２の支持面１２ａとハウジング２の基部４との間で、左右即ち隔壁１２と直交方向に移動しないように支持されている。特に中央のシールドコネクタ部１０用のシールドシェル２２は、両側が隔壁１２により支持されているので、こじりに対して極めて強い構造になっている。また、両端に位置するシールドシェル２２も、隔壁１２側にこじられた場合は、特にこじりに対して大きな抗力を示す。なお、図１３にはコンタクト５２がコンタクト収容溝８内に配置されているのが明瞭に示されている。コンタクト５２は、ハウジング２の後部から開口２０を経てコンタクト収容溝８に挿通される。コンタクト５２は、接触部５２ａが嵌合リブ６の表面から突出しており、接触部５２ａが相手方のコネクタの、図示しないコンタクトと接触するよう構成されている。
【図面の簡単な説明】
【図１】本発明のシールドコネクタ組立体に使用される絶縁ハウジングの斜視図
【図２】図１の絶縁ハウジングの正面図
【図３】図１の絶縁ハウジングの平面図
【図４】図２の４−４線に沿う絶縁ハウジングの断面図
【図５】本発明のシールドコネクタ組立体に使用されるシールドシェルの正面図
【図６】図５のシールドシェルの平面図
【図７】図５のシールドシェルの左側面図
【図８】図５のシールドシェルの右側面図
【図９】図５のシールドシェルの背面図
【図１０】本発明のシールドコネクタ組立体の正面図
【図１１】図１０のシールドコネクタ組立体の平面図
【図１２】図１０のシールドコネクタ組立体の底面図
【図１３】図１０のシールドコネクタ組立体の１３−１３線に沿う、シールドシェルの取付状態を示す部分断面図
【符号の説明】
１    シールドコネクタ組立体
２    絶縁ハウジング
１０    シールドコネクタ部
１２    壁部
２２    シールドシェル
４６、４８、５０    固定脚
５２    コンタクト
【図１】
0003755652.tif 000002
【図２】
0003755652.tif 000003
【図３】
0003755652.tif 000004
【図４】
0003755652.tif 000005
【図５】
0003755652.tif 000006
【図６】
0003755652.tif 000007
【図７】
0003755652.tif 000008
【図８】
0003755652.tif 000009
【図９】
0003755652.tif 000010
【図１０】
0003755652.tif 000011
【図１１】
0003755652.tif 000012
【図１２】
0003755652.tif 000013
【図１３】
0003755652.tif 000014